(57)【要約】  避難経路となる道路網等の状況等に応じて被災者の避難に要する時間を推定することができる避難予測システム等を提供することを主たる目的とする。  本発明の一態様における避難予測システムは、避難者の避難経路に関する避難情報及び避難経路において障害が発生した個所である障害発生個所の復旧時期に関する復旧情報に基づいて、避難者の避難に要する時間を予測する予測手段を備える。
2016075933.tif 000002
【特許請求の範囲】
【請求項１】
避難者の避難経路に関する避難情報及び前記避難経路において障害が発生した個所である障害発生個所の復旧時期に関する復旧情報に基づいて、前記避難者の避難に要する時間を予測する予測手段を備える、避難予測システム。
【請求項２】
前記予測手段は、
前記避難情報及び前記復旧情報に基づいて、前記避難経路と前記復旧時期との関係を含むモデルを生成するモデル生成手段と、
前記モデルを用いて前記避難者の避難に要する時間を予測する解析手段とを備える、請求項１に記載の避難予測システム。
【請求項３】
前記モデル生成手段は、前記障害が発生した個所の復旧状況に応じて、前記避難者の避難経路が選択されるように前記モデルを生成する、請求項２に記載の避難予測システム。
【請求項４】
前記モデル生成手段は、前記避難者の移動に要する時間又は前記障害発生個所の復旧に関連する時間の少なくとも一方を確率分布にて表す前記モデルを生成する、
請求項２又は３に記載の避難予測システム。
【請求項５】
前記予測手段は、前記避難者の避難に要する時間の分布を予測する、請求項２から４のいずれか一項に記載の避難予測システム。
【請求項６】
前記モデルは確率時間ペトリネットにて表される、請求項１から５のいずれか一項に記載の避難予測システム。
【請求項７】
前記避難情報及び前記復旧情報に基づいて、前記避難経路と前記復旧時期との関係を含むモデルを生成するモデル生成手段を備える、モデル生成装置。
【請求項８】
避難経路と復旧時期との関係を含むモデルを用いて避難者の避難に要する時間を予測する解析手段を備える、予測装置。
【請求項９】
避難者の避難経路に関する避難情報及び避難経路において障害が発生した個所である障害発生個所の復旧時期に関する復旧情報に基づいて、前記避難者の避難に要する時間を予測する、避難予測方法。
【請求項１０】
前記避難者の避難に要する時間の予測に際し、
前記避難情報及び前記復旧情報に基づいて、前記避難経路と前記復旧時期との関係を含むモデルを生成し、
前記モデルを用いて前記避難者の避難に要する時間を予測する、請求項９に記載の避難予測方法。
【請求項１１】
コンピュータに、
避難者の避難経路に関する避難情報及び避難経路において障害が発生した個所である障害発生個所の復旧時期に関する復旧情報に基づいて、前記避難者の避難に要する時間を予測する処理を実行させるプログラムを格納したコンピュータ読み取り可能記録媒体。
【請求項１２】
前記避難者の避難に要する時間を予測する処理において、
前記避難情報及び前記復旧情報に基づいて、前記避難経路と前記復旧時期との関係を含むモデルを生成する処理と、
前記モデルを用いて前記避難者の避難に要する時間を予測する処理とを実行させる、請求項１１に記載のプログラムを格納したコンピュータ読み取り可能記録媒体。
【発明の詳細な説明】
【技術分野】
【０００１】
本発明は、避難予測システム、モデル生成装置、予測装置、避難予測方法及びコンピュータ読み取り可能記録媒体に関する。
【背景技術】
【０００２】
災害が発生した場合には、災害が発生した地域から当該災害により被災した被災者が避難する必要が生じる可能性がある。この場合において、避難を必要とする被災者（以下「避難者」とする）が避難を完了するまでに要する時間は、できるだけ短いことが望まれる。【０００３】
一方、災害が生じた場合には、避難経路となる道路網等が被災して障害が発生することがある。この場合には、当該避難通路が通行できない可能性がある。したがって、避難者に対する避難計画が立案される際には、避難経路に関する被災状況や復旧計画が考慮される必要が生じる場合がある。また、避難経路となる道路網等が被災した場合、当該道路網等に発生した障害の復旧計画は、被災者の避難に要する時間が短くなるように立案される必要が生じる場合がある。【０００４】
特許文献１には、避難計画評価システム等が記載されている。特許文献１に記載の避難計画評価システムにおいては、要援護者人数算出部が、移動機のユーザの属性情報に基づいて避難時における要援護者の人数を算出する。また、避難先別人数算出部が、帰宅先及び避難所へ避難する避難者の人数を算出する。更に、シミュレーション部が、各ポリゴン領域から、帰宅先及び避難所へ避難者が避難する場合のシミュレーションを行う。そして、点数算出部が、要援護者数、避難者の人数、及びシミュレーション結果に基づいて避難計画のための点数を算出する。【０００５】
また、特許文献２には、リアルタイムに取得される現在地のデータに欠落があった場合でも、目的地の予測ができるデータ処理装置が記載されている。【０００６】
また、特許文献３には、階段を有する複数階層の建物からの避難時間を予測する避難時間予測装置が記載されている。
【先行技術文献】
【特許文献】
【０００７】
【特許文献１】特開２０１２−８３９０８号公報
【特許文献２】特開２０１２−１０８７４８号公報
【特許文献３】特開２０１２−２７５６０号公報
【発明の概要】
【発明が解決しようとする課題】
【０００８】
特許文献１に記載の避難計画評価システム等では、避難経路となる道路網等が被災した場合における復旧計画が必ずしも考慮されていない。すなわち、特許文献１に記載の避難計画評価システムでは、避難経路となる道路網等の状況に即して被災者の避難に要する時間を推定することが困難な場合がある。【０００９】
本発明は、上記課題を解決するためになされたものであって、避難経路となる道路網等の状況等に応じて被災者の避難に要する時間を推定することができる避難予測システム等を提供することを主たる目的とする。
【課題を解決するための手段】
【００１０】
本発明の一態様における避難予測システムは、避難者の避難経路に関する避難情報及び避難経路において障害が発生した個所である障害発生個所の復旧時期に関する復旧情報に基づいて、避難者の避難に要する時間を予測する予測手段を備える。【００１１】
また、本発明の一態様における避難予測方法は、避難者の避難経路に関する避難情報及び避難経路において障害が発生した個所である障害発生個所の復旧時期に関する復旧情報に基づいて、避難者の避難に要する時間を予測する。【００１２】
また、本発明の一態様におけるコンピュータ読み取り可能記録媒体は、コンピュータに、避難者の避難経路に関する避難情報及び避難経路において障害が発生した個所である障害発生個所の復旧時期に関する復旧情報に基づいて、避難者の避難に要する時間を予測する処理を実行させるプログラムを非一時的に格納する。
【発明の効果】
【００１３】
本発明によると、避難経路となる道路網等の復旧状況等に応じて被災者の避難に要する時間を推定することができる避難予測システム等を提供することができる。
【図面の簡単な説明】
【００１４】
【図１】本発明の第１の実施形態における避難予測システムの構成を示す図である。
【図２】本発明の第１の実施形態における避難予測システムが対象とする避難経路等の例を示す図である。
【図３】本発明の第１の実施形態における避難予測システムが受付ける避難情報及び復旧情報の例を示す図である。
【図４】本発明の第１の実施形態における避難予測システムの動作を表すフローチャートである。
【図５】本発明の第２の実施形態における避難予測システムの構成を示す図である。
【図６】本発明の第２の実施形態における避難予測システムにてモデルを生成する場合に用いられる生成規則の例を示す図である。
【図７】本発明の第２の実施形態における避難予測システムにて生成されるモデルの例を示す図である。
【図８】本発明の第２の実施形態における避難予測システムにて予測された避難者の避難に要する時間を表す累積分布関数の一例を示す図である。
【図９】本発明の各実施形態における避難予測システム等を実現する情報処理装置の一例を示す図である。
【発明を実施するための形態】
【００１５】
本発明の各実施形態について、添付の図面を参照して説明する。なお、本発明の各実施形態において、各装置の各構成要素は、機能単位のブロックを示している。各装置の各構成要素は、例えば図９に示すような情報処理装置５００とソフトウェアとの任意の組み合わせにより実現することができる。情報処理装置５００は、一例として、以下のような構成を含む。
【００１６】
・ＣＰＵ（Ｃｅｎｔｒａｌ  Ｐｒｏｃｅｓｓｉｎｇ  Ｕｎｉｔ）５０１
・ＲＯＭ（Ｒｅａｄ  Ｏｎｌｙ  Ｍｅｍｏｒｙ）５０２
・ＲＡＭ（Ｒａｎｄｏｍ  Ａｃｃｅｓｓ  Ｍｅｍｏｒｙ）５０３
・ＲＡＭ５０３にロードされるプログラム５０４
・プログラム５０４を格納する記憶装置５０５
・記憶媒体５０６の読み書きを行うドライブ装置５０７
・通信ネットワーク５０９と接続する通信インターフェース５０８
・データの入出力を行う入出力インターフェース５１０
・各構成要素を接続するバス５１１
各装置の実現方法には様々な変形例がある。例えば、各装置は、専用の装置として実現することができる。各装置は、複数の装置の組み合わせにより実現することができる。
また、各装置や各システム等の構成を示す図において、図面中の矢印の方向は一例を示すものであり、構成要素間の信号の向きを限定するものではない。
【００１７】
（第１の実施形態）
まず、本発明の第１の実施形態について説明する。図１は、本発明の第１の実施形態における避難予測システムを示す図である。図２は、本発明の第１の実施形態における避難予測システムが対象とする避難経路等の例を示す図である。図３は、本発明の第１の実施形態における避難予測システムが受付ける避難情報及び復旧情報の例を示す図である。図４は、本発明の第１の実施形態における避難予測システムの動作を表すフローチャートである。
【００１８】
図１に示すとおり、本発明の第１の実施形態における避難予測システム１００は、避難者の避難経路に関する避難情報及び避難経路において障害が発生した個所の復旧時期に関する復旧情報に基づいて、避難者の避難に要する時間を予測する予測部１１０を備える。
【００１９】
災害が発生した際には、避難者は、状況に応じて被災地から避難する。避難の際に、避難経路に障害が生じていると、その障害に応じて避難に要する時間が変わる場合がある。本実施形態において、避難予測システム１００に含まれる予測部１１０は、避難情報だけではなく、復旧情報を用いることで、障害の復旧状況に応じて避難者が避難に要する時間を予測することができる。
【００２０】
本実施形態における避難予測システム１００は、一例として、避難を必要とする個人を単位として、避難に要する時間を予測することができる。ただし、本実施形態における避難予測システム１００は、これとは異なる避難者を単位として避難に要する時間を予測することができる。例えば、ある地域において避難を必要とする者のグループが、本実施形態における避難予測システム１００にて避難に要する時間を予測する際の単位となる場合がある。また、本実施形態における避難予測システム１００は、負傷者、病人、特定の職業に従事する者など任意の属性を有する避難者のグループ毎に、避難に要する時間を予測することができる。
【００２１】
本実施形態において、避難経路は、例えば、避難元から避難先までの経路である。避難元及び避難先は、実際の避難の状況などに応じて適宜定められる。また、この避難経路は、障害の発生やその復旧の状況に応じて変わる場合がある。
【００２２】
図２は、避難経路と災害の復旧状況に応じた避難経路の例を示す。図２において、ノードとなる丸で囲まれた１から６の数字は、避難者が滞留する可能性がある地理的位置を表す。丸で囲まれた数字の間で道路網等がある場合には、図中において両地域間が矢印であるリンクによって接続される。
【００２３】
図２に示す例において、まず枠で囲っている凡例を参照すると、避難者が番号１が付されたノードに対応する地域に滞在していて、番号６が付されたノードに対応する地域へ避難する場合が想定されている。番号３が付されたノードに対応する地域と、番号５が付されたノードに対応する地域との間には障害ｆ１が存在し、通行ができないと想定する。また、番号４が付されたノードに対応する地域と、番号６が付されたノードに対応する地域との間には障害ｆ２が存在し、通行ができないと想定する。
【００２４】
この場合において、避難者の避難経路は、図２の（ｉ）から（ｉｖ）までのそれぞれに太線で示されるように、障害の復旧状況に応じて、例えば次のように変化する。当初の避難経路は、（ｉ）に示されるように、１→２→４→５→７→６となる。ｆ１の復旧が完了すると、避難経路は、（ｉｉ）に示されるように、１→３→５→７→６となる。ｆ２の復旧が完了すると、避難経路は、（ｉｉｉ）に示されるように、１→２→４→６となる。ｆ１及びｆ２の復旧が完了すると、避難経路は、（ｉｖ）に示されるように、１→２→４→６となる。本実施形態における避難予測システム１００は、このような避難経路の変化に基づいて、避難者の避難に要する時間を予測する。
【００２５】
また、本実施形態において、復旧情報は、例えば、避難者の避難経路に通行が不可能となるような障害が発生した個所（以下「障害発生個所」とする）が存在する場合に、当該障害発生個所が復旧する時期に関する情報である。復旧情報には、例えば、避難経路において複数の障害発生個所が存在する場合には、当該障害発生個所の各々における復旧時期や、各々の障害発生個所の復旧の順番が含まれる。また、復旧情報には、復旧を行うリソースの初期位置等が含まれていてもよい。
【００２６】
また、本実施形態において、予測対象である避難に要する時間は、一例として、すべての避難者が避難を完了するまでに要する時間である。避難が完了するとは、例えば、避難者が避難先へ到達することである。ただし、予測対象である避難に要する時間は、上述のような時間に限られず、例えば、所定の避難者が避難を完了するまでに要する時間や、避難者が避難先までの経路中にある所定の地域に達するまでの時間であってもよい。
【００２７】
なお、復旧情報に含まれる障害の復旧時期、避難者の移動時間は、任意の形にて表される。一例として、これらの時間は、任意の分布の形で表されてもよい。また、これらの時間は、何時間後、何日の何時、等のように、特定の時期に即して表される。また、避難者の避難に要する時間等は、例えば、累積分布関数にて表される。
【００２８】
本実施形態において、避難予測システム１００は、一例として、図３に示される情報を受付けて、避難者の避難に要する時間を予測する。図３は、図３（Ａ）に避難情報が、図３（Ｂ）に復旧情報が示されている。
【００２９】
図３（Ａ）に示される避難情報には、避難に要する時間の予測対象となる避難者や、当該避難者の避難元や避難先に関する情報、避難経路の復旧状況に応じて避難者が通過する避難ルート（中継ルート）が含まれる。また、避難情報には、避難経路を通過する際の通過時間や、各々の地域における収容人数、避難経路の容量（例えば、単位時間あたりに通行可能な人数）等、図示しない避難に要する時間に関する情報が含まれる。また、図３（Ｂ）に示される復旧情報には、復旧リソースの初期位置、障害が発生していて通行できない箇所、当該障害の復旧順序が含まれる。また、復旧情報には、障害の情報に応じて、避難経路を通過する際に要する時間の変化や、避難経路の容量の変化等、図示しない避難に要する時間の変化に関する情報が含まれる。
【００３０】
続いて、図４を用いて、本実施形態における避難予測システム１００の動作の一例を説明する。予測部１１０は、まず、避難情報及び復旧情報を受付ける（ステップＳ１０１）。予測部１１０は、避難情報及び復旧情報を、例えば上述した図３のような形式にて受付ける。また、予測部１１０は、任意の入力手段等を介してこれらの情報を受付けることができる。また、予測部１１０は、予めメモリやディスク等の任意の記憶手段に記憶された情報を用いてもよい。予測部１１０は、通信ネットワークを介してこれらの情報を受付けてもよい。
【００３１】
続いて、予測部１１０は、避難に要する時間を予測する（ステップＳ１０２）。予測部１１０は、例えば、ステップＳ１０１にて取得した情報に基づいて解析モデルを生成し、その解析モデルを解析することで予測することができる。予測部１１０にて予測された結果は、例えば、表示装置等や通信ネットワークを含む任意の出力手段から出力される。また、予測部１１０にて予測された結果は、必要とされる時点で参照されるように、任意の記憶手段に保存されてもよい。
【００３２】
以上のとおり、本実施形態における避難予測システム１００は、避難者の避難経路に関する避難情報及び避難経路において障害が発生した個所の復旧時期に関する復旧情報に基づいて、避難者の避難に要する時間を予測する。避難者の避難に要する時間は、避難経路の状況に応じて変化する場合がある。本実施形態においては本実施形態における避難予測システム１００は、復旧情報を用いることで、避難経路の復旧状況に応じて避難者の避難に要する時間を予測することができる。したがって、本実施形態における避難予測システム１００は、避難経路となる道路網等の状況等に即して被災者の避難に要する時間を推定することができる。
【００３３】
なお、災害が発生した際には、障害発生個所に対する復旧の順番や、同時に複数の障害発生個所の復旧作業を行う等、様々な復旧計画が想定される。本実施形態における避難予測システム１００は、異なる復旧計画の各々に対して、それぞれの場合における避難者の避難に要する時間を予測することができる。そのため、本実施形態における避難予測システム１００は、異なる復旧計画の各々の場合における避難者の避難に要する時間を予測することで、避難者の避難に要する時間が所定の条件を満たす復旧計画を求めることができる。この場合における所定の条件は例えば、所定の時間内に避難を終える、実行可能な復旧計画の中で避難に要する時間が最短となる、等がある。すなわち、本実施形態における避難予測システム１００は、復旧計画を決定するシステムとしても用いられる。
【００３４】
（第２の実施形態）
続いて、本発明の第２の実施形態について説明する。図５は、本発明の第２の実施形態における避難予測システムの構成を示す図である。図６は、本発明の第２の実施形態における避難予測システムにてモデルを生成する場合に用いられる生成規則の例を示す図である。図７は、本発明の第２の実施形態における避難予測システムにて生成されるモデルの例を示す図である。図８は、本発明の第２の実施形態における避難予測システムにて予測された避難者の避難に要する時間を表す累積分布関数の一例を示す図である。
【００３５】
図５に示す通り、本発明の第２の実施形態における避難予測システム２００の予測部２１０は、モデル生成部２１１と、解析部２１２とを備える。モデル生成部２１１は、避難情報及び復旧情報に基づいて、避難経路と復旧時期との関係を含むモデルを生成する。解析部２１２は、モデル生成部２１１にて生成されたモデルを用いて、避難者の避難に要する時間を予測する。本実施形態における避難予測システム２００は、上述の点が、本発明の第１の実施形態における避難予測システム１００と異なる。これ以外については、本実施形態における避難予測システム２００は、本発明の第１の実施形態における避難予測システム１００と同様の構成とすることができる。
【００３６】
モデル生成部２１１は、上述のように、避難情報及び復旧情報に基づいて、避難経路と復旧時期との関係を含むモデルを生成する。モデル生成部２１１にて生成されるモデルは、例えば、避難者の位置、避難経路やその容量、避難経路毎の通過に要する時間、避難者の移動に要する時間、避難経路に発生した障害やその復旧状況、障害の復旧に要する時間等を表す。モデル生成部２１１にて生成されるモデルは、避難者や障害の状況などに応じて、適宜これ以外の情報を含んでもよい。
【００３７】
本実施形態の避難予測システム２００では、モデル生成部２１１において生成されるモデルの一例として、確率時間ペトリネット（ｓｔｏｃｈａｓｔｉｃ  ｔｉｍｅ  Ｐｅｔｒｉ  ｎｅｔ、以下「ｓＴＰＮ」とする）が用いられる。
【００３８】
ｓＴＰＮは、一例として、＜Ｐ，Ｔ，Ａ−，Ａ＋，Ａ・，ｍ０，ＥＦＴ，ＬＦＴ，Ｆ，Ｃ，Ｅ，Ｌ＞という組として表される。これらの各要素は、所定の図（不図示）によって表される。Ｐはプレースの集合である。ｓＴＰＮを表す図においては、プレースは白い丸にて表される。Ｔはトランジションの集合である。ｓＴＰＮを表す図においては、トランジションは白い四角または棒にて表される。Ａ−は、プレースとトランジションとを、プレースからトランジションへの方向に向かって接続する入力アークである。Ａ＋は、プレースとトランジションとを、トランジションからプレースへの方向に向かって接続する出力アークである。以下の説明においては、入力アーク及び出力アークを併せて単にアークと呼ぶ場合がある。ｓＴＰＮを表す図においては、アークは矢印にて表される。Ａ・は、プレースとトランジションとを、プレースからトランジションへの方向に向かって接続するインヒビター・アークである。ｓＴＰＮを表す図においては、インヒビター・アークは、先端が丸印である矢印にて表される。
【００３９】
ｍ０は各々のプレースにおける非負のトークンの数を表す初期マーキングである。ｓＴＰＮを表す図においては、トークンは、プレースの内部に配置される黒丸にて表される。ＥＦＴ及びＬＦＴは、Ｔに含まれる各々のトランジションにおける最小及び最大発火時間である。ＥＦＴは、零を含む非負の実数である。また、ＬＦＴは、零及び無限大を含む非負の実数である。また、ＬＦＴの値はＥＦＴの値と等しいか、又はＥＦＴより大きい。Ｆは、Ｔに含まれる各々のトランジションに対するＥＦＴからＬＦＴの間における発火時刻に関する累積分布関数である。
【００４０】
Ｃは、複数のトランジションが同時発火可能となった場合に、当該発火可能となった複数のトランジションの各々に関する発火のしやすさを表す重みである。Ｃは、同時に発火可能になる可能性があるトランジションに対して割り当てられる。Ｅは、Ｔに含まれる各々のトランジションに対するマーキングと関連付けられたエネーブリングファンクションである。Ｌ（ｆｌｕｓｈｉｎｇ  ｆｕｎｃｔｉｏｎ）は、トランジションに割り当てられる。Ｌが割り当てられたトランジションが発火した場合に、Ｌにて関係付けられたプレース上のトークンを、当該トランジションとのアークによる接続関係に関わらず消去する。
【００４１】
また、トランジションは、以下の場合に発火可能であるとされる。トランジションが発火すると、入力アークを介して接続されたプレースからトークンが１つ減り、出力アークを介して接続されたプレースにトークンが一つ増える。
・入力アークを介して接続されるプレースの全てに１つ以上のトークンが存在する。
・インヒビタ―・アークを介して接続されるプレースの全てにトークンが存在しない。
・時刻がＥＦＴの値より大きく、ＬＦＴの値より小さい。
・エネーブリングファンクションが真となる。
【００４２】
なお、ｓＴＰＮの詳細は、例えば「Ｖｉｃａｒｉｏ，  Ｅ．，  Ｓａｓｓｏｌｉ，  Ｌ．，  ａｎｄ  Ｃａｒｎｅｖａｌｉ，  Ｌ．  （２００９）  ‘Ｕｓｉｎｇ  ｓｔｏｃｈａｓｔｉｃ  ｓｔａｔｅ  ｃｌａｓｓｅｓ  ｉｎ  ｑｕａｎｔｉｔａｔｉｖｅ  ｅｖａｌｕａｔｉｏｎ  ｏｆ  ｄｅｎｓｅ−ｔｉｍｅ  ｒｅａｃｔｉｖｅ  ｓｙｓｔｅｍｓ’，  ＩＥＥＥ  Ｔｒａｎｓａｃｔｉｏｎｓ  ｏｎ  Ｓｏｆｔｗａｒｅ  Ｅｎｇｉｎｅｅｒｉｎｇ，  Ｖｏｌ．  ３５，  Ｎｏ．  ５，  ｐｐ．  ７０３-７１９．」等に記載されている。
【００４３】
モデル生成部２１１は、一例として、ｓＴＰＮを用いて、図６に示す生成規則の例に基づいて、避難情報、復旧情報、避難情報と復旧情報との関係等をモデルとして表す。モデル生成部２１１は、避難者が滞留する可能性がある地理的位置や、復旧対象の道路の状態、復旧の進捗状態等を表すようにモデルを生成する。ｓＴＰＮを用いる場合、モデル生成部２１１は、図６（Ａ）に示されるように、これらをプレースとして表す。
【００４４】
また、モデル生成部２１１は、上述した地理的位置間にある道路等の接続関係や、復旧対象の道路等の状態が通行に与える状況の有無、複数の障害発生個所に関する復旧の進捗状態の関係等を表すようにモデルを生成する。ｓＴＰＮを用いる場合、モデル生成部２１１は、図６（Ｂ）に示されるように、これらを上述したプレースに適宜接続されるアークとして表す。
【００４５】
また、モデル生成部２１１は、避難者の移動時間や、障害発生個所を復旧させる時間、障害発生個所を復旧させる復旧リソースの移動時間等を表すようにモデルを生成する。モデル生成部２１１は、上述した各々の時間に関する確率分布を表すようにモデルを生成することができる。ｓＴＰＮを用いる場合、モデル生成部２１１は、図６（Ｃ）に示されるように、これらをトランジションとして表す。また、上述した各々の時間は、トランジションに関係付けられる最小発火時間、最大発火時間、累積分布関数等にて表される。
【００４６】
また、モデル生成部２１１は、所望の時点での避難者の位置、復旧の進捗段階、避難経路となる道路等の通行可否等を表すようにモデルを生成する。ｓＴＰＮを用いる場合、モデル生成部２１１は、図６（Ｄ）に示されるように、これらを各々の位置や状況に応じたプレースにトークンを追加することで表す。
【００４７】
また、モデル生成部２１１は、障害発生個所に関する復旧の進捗段階に応じた避難経路となる道路の通行可能性やその容量の変化を表すようにモデルを生成する。ｓＴＰＮを用いる場合、モデル生成部２１１は、図６（Ｅ）に示されるように、これらを復旧の進捗状況を表すトランジションへのインヒビター・アークを追加することで表す。また、別の例として、複数の避難者が同時に通行できない避難経路が存在する場合、モデル生成部２１１は、ある避難者が当該避難経路を通行している場合に、他の避難者が当該避難経路を通行できないことを表すモデルを生成する。ｓＴＰＮを用いる場合、モデル生成部２１１は、一例として、このような情報を、避難経路の入口に対応するプレースに対して適宜インヒビタ―・アークを追加し、他の避難者の移動を表すトランジションを発火不可能にすることで表すことができる。また、ｓＴＰＮを用いる場合、モデル生成部２１１は、このような情報をエネーブリングファンクションにて表すことができる。
【００４８】
なお、モデル生成部２１１は、上述した生成規則を、図示しない記憶部に予め格納しておき、モデルの生成時に当該生成規則を参照してモデルを生成することができる。また、モデル生成部２１１は、モデルを生成する際に、必要に応じて外部から当該生成規則を取得してモデルを生成してもよい。
【００４９】
上述のような生成規則を用いることで、モデル生成部２１１は、避難情報や復旧情報、避難経路と復旧時期との関係を含むモデルを生成することができる。
【００５０】
図７は、モデル生成部２１１にて生成されるモデルの例である。図７にて示すモデルは、図２で示した避難経路等をｓＴＰＮにて表している。また、図７に示す例では、障害発生個所は、ｆ１が復旧されるとする。図７に示すモデルでは、被災地や避難先を含む避難者が滞留する可能性のある地域等が、ｐ１からｐ７までのプレースにて表されている。また、復旧の進捗段階及び道路状態が、ｐ８からｐ１９までのプレースにて表される。
【００５１】
また、図７に示すモデルでは、被災地や避難先等の地域を接続する道路との接続関係が、ｔ０からｔ８までのトランジションと、これらのトランジションとｐ１からｐ７までのプレースとを接続するアークによって表されている。すなわち、ｐ１からｐ７までのプレースと、ｔ０からｔ８までのトランジションと、これらを接続するアークによって、図２に示す避難経路が示されている。また、ｔ０からｔ８のトランジションの各々は、当該トランジションに対応する道路が通行可能である場合に発火可能となり、通行できないか、又は避難経路として用いられない場合には発火不可能となるようにｓＴＰＮが構成されている。そして、避難者の移動に要する時間やその確率分布が、ｔ０からｔ８までのトランジションにおける最小発火時間、最大発火時間、累積分布関数等にて適宜表されている。
【００５２】
また、復旧作業に要する時間や、復旧のためのリソースの移動に要する時間やその確率分布等が、ｔ９からｔ１２のトランジションにおける最小発火時間、最大発火時間、累積分布関数等にて適宜表されている。図７に示すモデルでは、ｔ１０が障害発生個所であるｆ１に関連付けられている。
【００５３】
また、避難者の位置や復旧の状態がトークンにて表される。初期状態（初期マーキング）においては、避難者は被災地に留まっているとして、被災地に対応するプレースｐ１にトークンが置かれる。また、障害発生個所の復旧が着手されていないとして、プレースｐ８にトークンが置かれる。その他、上述の状態に対応するプレースにトークンが置かれる。図７に示すｓＴＰＮは、初期状態を表している。
【００５４】
また、ｐ１３からｐ１９までのプレースと、ｔ０からｔ８までのトランジションとを接続するアークによって、復旧の進捗段階に復旧対象の道路等の状態が通行に与える状況や復旧の進捗段階に応じた道路の通行可能性が表されている。この場合において、アークはインヒビタ―・アークを含む。
【００５５】
図７に示すモデルは、障害発生個所の復旧状況に応じて、図２に示す避難経路に応じて避難するように生成されている。具体的には、ｆ１が復旧する前（トランジションｔ１０が発火する前）の時点においては、図２の１→２→４→５との経路が選択されるよう、トランジションｔ０が発火可能となるようにモデルが生成されている。また、ｆ１が復旧した後（トランジションｔ１０が発火した後）の時点においては、図２の１→３→５との経路が選択されるよう、トランジションｔ１が発火可能となるようにモデルが生成されている。また、図２の２→３との経路が選択されないよう、トランジションｔ４が発火可能となるようにモデルが生成されている。すなわち、モデル生成部２１１は、障害発生個所の復旧状況に応じて一つの避難経路が選択されるようにモデルを生成する。このように、災害発生個所の復旧状況に応じて避難経路が選択されるモデルを生成することで、後述する解析部２１２において、避難経路の復旧状況に応じて避難者の避難に要する時間を予測することが可能となる。
【００５６】
なお、モデル生成部２１１は、避難経路に関して、上述のモデルと異なるモデルを生成することができる。すなわち、モデル生成部２１１は、通行可能な複数の経路が存在する場合に、各々の経路が通行可能となるようなモデルを生成することができる。モデル生成部２１１は、避難の状況に応じて通行可能な避難経路が選択されるように適宜モデルを生成することができる。
【００５７】
解析部２１２は、モデルを用いて避難者の避難に要する時間を予測する。解析部２１２は、モデル生成部２１１にて生成されたモデルについて、初期状態から避難者が避難先に到達するまでを状態探索すること等によって、避難者の避難に要する時間を予測する。モデルとしてｓＴＰＮを用いたモデルが生成された場合には、解析部２１２は、例えば、トークンが初期状態（避難元を表すプレースにトークンがある）から避難先を表すプレースへ達するまでの時間を避難者の避難に要する時間とする。この時間を求める際に、解析部２１２は、公知の手法を含むｓＴＰＮの任意の状態探索アルゴリズムを用いることができる。
【００５８】
また、避難者の避難に要する時間は、任意の様々な形式によって表される。モデルとしてｓＴＰＮを用いた場合には、避難者の避難に要する時間は、例えば、避難が完了する時間の確率分布として累積分布関数にて表される。図８は、避難者の避難に要する時間を表す累積分布関数の一例を示す。図８に示す例では、横軸は避難開始からの時間、縦軸は累積分布関数の値を表す。この例では、避難開始から２４時間後に概ね７割を超える避難者の避難が完了し、避難開始から４８時間後以降に避難がほぼ完了することが分かる。
【００５９】
以上のとおり、本実施形態における避難予測システム２００は、モデル生成部２１１が、避難経路と復旧時期との関係を含むモデルを生成する。そして、解析部２１２が、当該モデルを用いて、避難者の避難に要する時間を予測する。災害が発生した場合には、避難に要する時間は、避難経路に応じて変わる場合がある。避難経路と復旧時期との関係を含むモデルは、例えば、障害発生個所の復旧状況に応じて避難経路が変化する状況を表すことができる。そして、そのようなモデルを解析することによって、避難経路の復旧状況に応じて避難者の避難に要する時間を予測することができる。したがって、本実施形態における避難予測システム２００は、本発明の第１の実施形態における避難予測システム１００と同様に、避難経路となる道路網等の状況等に即して被災者の避難に要する時間を推定することができる。
【００６０】
なお、本実施形態において、予測部２１０は、モデルとしてｓＴＰＮを用いた。しかしながら、予測部２１０にて用いられるモデルは、ｓＴＰＮに限られない。上述した生成規則に基づいてモデルを生成することが可能であれば、モデル生成部２１１は、ｓＴＰＮ以外の形式にてモデルを生成することができる。また、モデル生成部２１１は、例えば避難経路の容量等を含む避難情報や復旧情報を、用いられるモデルに応じて、上述した方法と異なる方法にて適宜モデルを生成することができる。そして、解析部２１２は、ｓＴＰＮ以外の形式にて生成されたモデルをそれぞれのモデルに適した手法にて解析することで、避難者の避難に要する時間を予測することができる。
【００６１】
また、本実施形態において、モデルとしてｓＴＰＮが用いられる場合であっても、モデル生成部２１１は、上記の生成規則と異なる規則にてモデルを生成することができる。一例として、モデル生成部２１１は、障害発生個所に関する復旧の進捗段階に応じた道路の通行可能性を表す場合に、インヒビタ―・アークを用いないなど、上記の生成規則と異なる規則にてモデルを生成してもよい。
【００６２】
また、本実施形態において、予測部２１０に含まれるモデル生成部２１１及び解析部２１２は、それぞれ単体の装置としてもいい。この場合には、モデル生成部２１１と解析部２１２との間は、例えば有線や無線の通信ネットワークを介して接続される。また、モデル生成部２１１と解析部２１２との間は、ファイルを介してモデルを表すデータがやり取りされてもよい。
【００６３】
以上、実施形態を参照して本願発明を説明したが、本願発明は上記実施形態に限定されるものではない。本願発明の構成や詳細には、本願発明のスコープ内で当業者が理解し得る様々な変更をすることができる。また、各実施形態における構成は、本発明のスコープを逸脱しない限りにおいて、互いに組み合わせることが可能である。
【００６４】
この出願は、２０１４年１１月１４日に出願された日本出願特願２０１４−２３１３８９を基礎とする優先権を主張し、その開示の全てをここに取り込む。
【符号の説明】
【００６５】
１００、２００    避難予測システム
１１０、２１０    予測部
２１１    モデル生成部
２１２    解析部
５００    情報処理装置
５０１    ＣＰＵ
５０２    ＲＯＭ
５０３    ＲＡＭ
５０４    プログラム
５０５    記憶装置
５０６    記憶媒体
５０７    ドライブ装置
５０８    通信インターフェース
５０９    通信ネットワーク
５１０    入出力インターフェース
５１１    バス
【図１】
2016075933.tif 000003
【図２】
2016075933.tif 000004
【図３】
2016075933.tif 000005
【図４】
2016075933.tif 000006
【図５】
2016075933.tif 000007
【図６】
2016075933.tif 000008
【図７】
2016075933.tif 000009
【図８】
2016075933.tif 000010
【図９】
2016075933.tif 000011
【手続補正書】
【提出日】平成29年4月20日(2017.4.20)
【手続補正１】
【補正対象書類名】特許請求の範囲
【補正対象項目名】全文
【補正方法】変更
【補正の内容】
【特許請求の範囲】
【請求項１】
避難者の避難経路に関する避難情報及び前記避難経路において障害が発生した個所である障害発生個所の復旧時期に関する復旧情報に基づいて、前記避難者の避難に要する時間を予測する予測手段を備える、避難予測システム。
【請求項２】
前記予測手段は、
前記避難情報及び前記復旧情報に基づいて、前記避難経路と前記復旧時期との関係を含むモデルを生成するモデル生成手段と、
前記モデルを用いて前記避難者の避難に要する時間を予測する解析手段とを備える、請求項１に記載の避難予測システム。
【請求項３】
前記モデル生成手段は、前記障害が発生した個所の復旧状況に応じて、前記避難者の避難経路が選択されるように前記モデルを生成する、請求項２に記載の避難予測システム。
【請求項４】
前記モデル生成手段は、前記避難者の移動に要する時間又は前記障害発生個所の復旧に関連する時間の少なくとも一方を確率分布にて表す前記モデルを生成する、
請求項２又は３に記載の避難予測システム。
【請求項５】
前記予測手段は、前記避難者の避難に要する時間の分布を予測する、請求項２から４のいずれか一項に記載の避難予測システム。
【請求項６】
前記モデルは確率時間ペトリネットにて表される、請求項１から５のいずれか一項に記載の避難予測システム。
【請求項７】
避難者の避難経路に関する避難情報及び避難経路において障害が発生した個所である障害発生個所の復旧時期に関する復旧情報に基づいて、前記避難者の避難に要する時間を予測する、避難予測方法。
【請求項８】
前記避難者の避難に要する時間の予測に際し、
前記避難情報及び前記復旧情報に基づいて、前記避難経路と前記復旧時期との関係を含むモデルを生成し、
前記モデルを用いて前記避難者の避難に要する時間を予測する、請求項７に記載の避難予測方法。
【請求項９】
コンピュータに、
避難者の避難経路に関する避難情報及び避難経路において障害が発生した個所である障害発生個所の復旧時期に関する復旧情報に基づいて、前記避難者の避難に要する時間を予測する処理を実行させるプログラム。
【請求項１０】
前記避難者の避難に要する時間を予測する処理において、前記避難情報及び前記復旧情報に基づいて、前記避難経路と前記復旧時期との関係を含むモデルを生成する処理と、
前記モデルを用いて前記避難者の避難に要する時間を予測する処理とを実行させる、請求項９に記載のプログラム。
【国際調査報告】
2016075933.tif 000012
2016075933.tif 000013
2016075933.tif 000014
2016075933.tif 000015